(57)【要約】【課題】複数の場所を低コストで監視することができるようにする。【構成】本システムは、複数の照明装置１０ａ〜１０ｇと、照明装置１０ａ〜１０ｇから送信された撮影データを受信して読み出し可能に記録する携帯用通信機器２０と、照明装置１０ａ〜１０ｇから有線で送信された移動体の侵入の検知結果を受信するとともにその受信結果に基づいて当該照明装置を特定して警報出力する警報装置３０とを備えている。照明装置１０は、照明器具１１と、照明可能領域内への移動体の侵入を検知すると当該移動体を撮影するイメージセンサカメラ１２と、この撮影データを携帯用通信機器２０に向けて送信する固定用通信部１３とを備えている。【選択図】  図１
2004180169.tif 000002
【特許請求の範囲】
【請求項１】
照明器具と、照明可能領域内への移動体の侵入を検知すると当該移動体を撮影する監視カメラと、監視カメラの撮影データを携帯用通信機器に向けて送信する固定用通信部とを備えていることを特徴とする特徴とする照明装置。
【請求項２】
請求項１記載の照明装置において、夜間照明を行う状態で監視カメラが移動体の侵入を検知すると、監視カメラの撮影データを記録する一方、夜間照明の照度を高く設定する機能を有した構成となっていることを特徴とする特徴とする照明装置。
【請求項３】
照明器具と、照明可能領域内への移動体の侵入を検知すると当該移動体を撮影する監視カメラとを具備し、夜間照明を行う状態で監視カメラが移動体の侵入を検知すると、監視カメラの撮影画像を記録する一方、夜間照明の照度を高く設定する機能を有した構成となっていることを特徴とする照明装置。
【請求項４】
請求項１又は２記載の照明装置と、照明装置から送信された撮影データを受信して読み出し可能に記録する携帯用通信機器とを具備したことを特徴とする監視システム。
【請求項５】
請求項４記載の監視システムにおいて、照明装置と携帯用通信機器との間で行われる通信の空中線電力は、前記携帯用通信機器が前記照明装置の近くに位置する状態でのみ通信可能な程度に設定されていることを特徴とする監視システム。
【請求項６】
請求項４又は５記載の監視システムおいて、照明装置とは別の箇所に設置されており且つ照明装置から有線で送信された移動体の侵入の検知結果を受信するとともに当該受信結果に基づいて当該照明装置を特定して警報出力する警報装置を備えていることを特徴とする監視システム。
【請求項７】
請求項１又は２記載の照明装置と、照明装置とは別の箇所に設置されており且つ照明装置との間で無線通信が可能な中継コントロールユニットと、照明装置から無線で送信された撮影データを中継コントロールユニットを通じて無線で受信して読み出し可能に記録する携帯用通信機器とを有した構成となっていることを特徴とする監視システム。
【請求項８】
請求項７記載の監視システムにおいて、中継コントロールユニットと携帯用通信機器との間で行われる通信の空中線電力は、前記携帯用通信機器が中継コントロールユニットの近くに位置する状態でのみ通信可能な程度に設定されていることを特徴とする監視システム。
【請求項９】
請求項７又は８記載の監視システムにおいて、照明装置及び中継コントロールユニットとは別の箇所に配置されており且つ照明装置から無線で送信された移動体の侵入の検知結果を中継コントロールユニットを通じて有線で受信するとともに当該受信結果に基づいて当該照明装置を特定して警報出力する警報装置を有した構成となっていることを特徴とする監視システム。
【請求項１０】
照明器具と、照明可能領域内への移動体の侵入を検知すると当該移動体を撮影する監視カメラと、監視カメラに記録された撮影データを送信する固定用通信部とを有した照明装置と、照明装置とは別の箇所に設置されており且つ照明装置との間で有線通信が可能な中継コントロールユニットと、照明装置から有線で送信された移動体の侵入の検知結果及び撮影データを中継コントロールユニットを通じて無線で受信して読み出し可能に記録する通信機器とを具備したことを特徴とする監視システム。
【発明の詳細な説明】
【０００１】
【発明が属する技術分野】
本発明は防犯等の監視機能を有した照明装置及び同装置に用いた監視システムに関する。
【０００２】
【従来の技術】
この種の従来例として照明器具に監視範囲を撮影するテレビカメラが備えられたものがある。このテレビカメラにより撮影された画像データは照明器具とは異なる場所にあるホスト局内の映像モニタに常時転送されるようになっている。照明器具には赤外線センサ等も備えられており、夜間に移動物体を検出すると、照明器具を点灯させるようになっている（例えば、特許文献１参照。）。
【０００３】
【特許文献１】
特開２００１−１０３４５４号公報（段落番号００２７〜００４２）
【０００４】
【発明が解決しようとする課題】
しかしながら、上記従来例による場合、ホスト局において複数台の映像モニタを設置したり、これらの画像を常時記録するための設備が必要になる以上、システムとして大掛かりになり、コスト高になるという本質的な欠点がある。
【０００５】
本発明は上記した背景の下で創作されたものであり、その主たる目的とするところは、複数の場所を低コストで監視することが可能な照明装置及び監視システムを提供することにある。
【０００６】
【課題を解決するための手段】
本発明の照明装置は、照明器具と、照明可能領域内への移動体の侵入を検知すると当該移動体を撮影する監視カメラと、監視カメラの撮影データを携帯用通信機器に向けて送信する固定用通信部とを備えている。
【０００７】
好ましくは、夜間照明を行う状態で監視カメラが移動体の侵入を検知すると、監視カメラの撮影データを記録する一方、夜間照明の照度を高く設定する機能を有した構成となっているものを用いることが望ましい。
【０００８】
本発明の監視システムは、上記照明装置と、照明装置から送信された撮影データを受信して読み出し可能に記録する携帯用通信機器とを具備している。
【０００９】
好ましくは、照明装置と携帯用通信機器との間で行われる通信の空中線電力が前記携帯用通信機器が前記照明装置の近くに位置する状態でのみ通信可能な程度に設定されていることが望ましい。
【００１０】
好ましくは、照明装置とは別の箇所に設置されており且つ照明装置から有線で送信された移動体の侵入の検知結果を受信するとともに当該受信結果に基づいて当該照明装置を特定して警報出力する警報装置を備えることが望ましい。
【００１１】
本発明の別の監視システムは、上記照明装置と、照明装置とは別の箇所に設置されており且つ照明装置との間で無線通信が可能な中継コントロールユニットと、照明装置から無線で送信された撮影データを中継コントロールユニットを通じて無線で受信して読み出し可能に記録する携帯用通信機器とを有した構成となっている。
【００１２】
好ましくは、中継コントロールユニットと携帯用通信機器との間で行われる通信の空中線電力は、前記携帯用通信機器が中継コントロールユニットの近くに位置する状態でのみ通信可能な程度に設定されていることが望ましい。
を特徴とする監視システム。
【００１３】
好ましくは、照明装置及び中継コントロールユニットとは別の箇所に配置されており且つ照明装置から無線で送信された移動体の侵入の検知結果を中継コントロールユニットを通じて有線で受信するとともに当該受信結果に基づいて当該照明装置を特定して警報出力する警報装置を有した構成のものを用いることが望ましい。
【００１４】
本発明の別の監視システムは、照明器具と、照明可能領域内への移動体の侵入を検知すると当該移動体を撮影する監視カメラと、監視カメラに記録された撮影データを送信する固定用通信部とを有した照明装置と、照明装置とは別の箇所に設置されており且つ照明装置との間で有線通信が可能な中継コントロールユニットと、照明装置から有線で送信された移動体の侵入の検知結果及び撮影データを中継コントロールユニットを通じて無線で受信して読み出し可能に記録する通信機器とを具備している。
【００１５】
本発明の別の照明装置は、照明器具と、照明可能領域内への移動体の侵入を検知すると当該移動体を撮影する監視カメラとを具備し、夜間照明を行う状態で監視カメラが移動体の侵入を検知すると、監視カメラの撮影画像を記録する一方、夜間照明の照度を高く設定する機能を有した構成となっている。
【００１６】
【発明の実施の形態】
以下、本発明の実施形態を図面を参照して説明する。図１は第１の実施の形態に係る監視システムの構成図、図２は同システムの照明装置の構成図、図３は同照明装置の外観図である。
【００１７】
第１の実施の形態に係る監視システムは、図１に示すように屋外の複数箇所に各々配置された照明装置１０ａ〜１０ｇと、照明装置１０ａ〜１０ｇから無線で送信された撮影データを受信して読み出し可能に記録する携帯用通信機器２０と、照明装置１０ａ〜１０ｇとは別の箇所（ここでは管理用の事務所）に設置されており且つ照明装置１０ａ〜１０ｇから有線で送信された移動体の侵入の検知結果を受信するとともに当該受信結果に基づいて照明装置１０ａ〜１０ｇを特定して警報出力する警報装置３０とを備えた基本構成となっている。なお、照明装置１０ａ〜１０ｇはすべて同一構成のものを用いている。
【００１８】
照明装置１０は図２に示すように屋外を照明する照明器具１１と、照明可能領域内への移動体の侵入を検知すると当該移動体を撮影する監視カメラとしてのイメージセンサカメラ１２と、イメージセンサカメラ１２の撮影データを携帯用通信機器２０に向けて送信する固定用通信部１３と、照明器具１１を制御する等の機能を有した制御回路部１４とを有した基本構成となっており、街路灯用のポールＰ（図３参照）に取り付けられている。
【００１９】
照明器具１１はここでは段調機能付きのセラメタを用いており、電子安定器１１１とランプ１１２とを有した構成となっている。なお、セラメタの代わりに可変調光機能がある照明装置を用いても良く、光源についてはＬＥＤランプ等を用いても良い。
【００２０】
制御回路部１４は、照明器具１１の商用電源入力ラインの途中に設けられておりＣＤＳ等を用いて周りの照度を検知し夜間等になって照度が低下すると照明器具１１を通電させて点灯させる自動点滅器１４１と、商用電源に基づいてイメージセンサカメラ１２等に通電することが必要な定電圧を生成する定電圧電源１４２と、イメージセンサカメラ１２から光信号で出力された移動体侵入の検知結果に基づいて作動するタイマ１４３とを有した構成となっている。
【００２１】
タイマ１４３が作動すると、警報接点ＴＭ−１がオンになり、この接点信号が移動体侵入検知信号として有線ラインＬ（図１参照）を介して警報装置３０に出力される。また、調光接点ＴＭ−２がオンになると、電子安定器１１１から出力される電流が増加し、これに伴ってランプ１１２の照度が増加する。即ち、ランプ１１２は５０％の調光点灯で夜間照明を行っているものの、この状態でイメージセンサカメラ１２が移動体の侵入を検知すると、夜間照明の照度を最大に高く設定するようになっている。
【００２２】
イメージセンサカメラ１２はランプ１２２の照明可能領域内を常時撮影する一方、当該撮影データに対して所定の画像処理を行って移動体の動きやその色等を認識し、その認識結果に応じて当該領域内に不審者が侵入したか否かを判定し、不審者が侵入したと判定したときにはこれを光信号として外部出力するとともに、当該撮影データを内蔵メモリに記録して外部出力可能な機能を有した構成となっている。ここでは赤外線用のもので、ＰＤＡ（Ｐｅｒｓｏｎａｌ  Ｄｉｇｉｔａｌ  Ａｓｓｉｓｔａｎｃｅ）や携帯電話等との通信が容易な画像センサカメラ等の市販品を利用している。
【００２３】
固定用通信部１３はここでは上記イメージセンサカメラ１２の付属品であるｂｌｕｅｔｏｏｔｈ  （登録商標）用の無線通信モジュールを利用しており、イメージセンサカメラ１２に電気接続された無線回路基板１３１と、無線回路基板１３１に電気接続されたロッドアンテナ１３２とを有した構成となっている。
【００２４】
即ち、携帯用通信機器２０により固定用通信部１３がアクセスされると、固定用通信部１３は、イメージセンサカメラ１２に対して読み出し信号を出力し、これに伴ってイメージセンサカメラ１２から出力された画像データが入力されると、同データを無線で送信するようになっている。
【００２５】
ここでは携帯用通信機器２０として市販のＰＤＡ（Ｐｅｒｓｏｎａｌ  Ｄｉｇｉｔａｌ  Ａｓｓｉｓｔａｎｃｅ）を利用していることから、照明装置１１と携帯用通信機器２０との間で行われる通信の空中線電力は、携帯用通信機器２０が照明装置１１の近くに位置する状態でのみ通信可能な程度、具体的には見通し距離で約１００ｍに設定されている。この関係から照明器具１０ａ〜１０ｇは互いに１００ｍ以上の間隔を開けて配置されても良いが、１００ｍ以下でも通信の干渉などは全く問題ない。イメージセンサカメラ１２の監視範囲を考慮し、照明器具１０ａ〜１０ｇの設置間隔を決めるようにしても良い。
【００２６】
携帯用通信機器２０は上記した通りＰＤＡであって、照明装置１０から送信された撮影データを受信して内蔵メモリに記録する構成となっている。なお、イメージセンサカメラ１２の設定についても携帯用通信機器２０を通じて行うことが可能になっている。
【００２７】
警報装置３０は照明装置１０ａ〜１０ｇから有線ラインＬを通じて各々入力された移動体侵入検知信号に基づいて照明装置１０ａ〜１０ｇのうちいずれの照明可能領域内に不審者が侵入したかをランプの点灯により表示するモニタ３１と、いずれかのランプの点灯と同時に警報音を発するブザー３２とを有した構成となっている。
【００２８】
以上のように構成された第１の実施の形態の監視システムの動作について説明する。図１に示す警報装置３０が設置された事務所には管理人が待機しており、事務所に携帯用通信機器２０が保管されている。
【００２９】
例えば、照明装置１０ａ〜１０ｇのうち照明装置１０ｃの照明可能領域内に不審者が侵入したとする。この場合、当該領域内を常時撮影する照明装置１０ｃのイメージセンサカメラ１２により移動体の動きやその色等が認識され、その移動体の大きさ、動き及び色等と予め設定したデータとが比較され、これらの比較結果、当該領域内に不審者が侵入したと判定されたときには、当該不審者の撮影データが内蔵メモリに記録される。引き続いて当該不審者の撮影データが内蔵メモリに順次記録される。と同時に、移動体侵入の判定結果が光信号としてイメージセンサカメラ１２から外部出力され、これに伴って、タイマ１４３が作動し、警報接点ＴＭ−１及び調光接点ＴＭ−２がオンになる。
【００３０】
もし、夜間であれば、自動点滅器１４１を通じて電子安定器１１１及びランプ１１２が通電されているので、ランプ１１２により５０％の調光点灯で夜間照明が行われるものの、調光接点ＴＭ−２がオンになると、夜間照明の照度が最大に変化する。これにより当該不審者に対する威嚇になるとともに当該不審者の詳細が撮影されることになる。
【００３１】
また、警報接点ＴＭ−１になると、移動体侵入検知信号が有線ラインＬを介して警報装置３０に出力される。すると、警報装置３０のブザー３２が鳴るとともにモニタ３１上のランプのうち照明装置１０ｃに対応するランプが点灯する。
【００３２】
事務所に待機する管理人は、警報装置３０のブザー３２やモニタ３１を通じて照明装置１０ｃの照明可能領域内に不審者が侵入したことが瞬時に容易に判るので、携帯用通信機器２０を携帯して照明装置１０ｃの設置場所に急行する。そして、照明装置１０ｃの周辺の１００ｍ以内に入ったところで、携帯用通信機器２０を操作して接続操作すると、照明装置２０ｃのイメージセンサカメラ１２の内蔵メモリに記録された撮影データが読み出され、固定用通信部１３から送信される。照明装置１０ｃから送信された撮影データは携帯用通信機器２０で受信されてダウンロードされる。その後、携帯用通信機器２０を操作すると、ダウンロードされた撮影データに基づいてそのディスレイに不審者の画像が表示される。
【００３３】
なお、イメージセンサカメラ１２は移動体の色も認識することが可能であることから、守衛者が例えば黄色のベスト等を着衣して見回りを行ったとき、イメージセンサカメラ１２において黄色等の移動体を不審者でないように予め設定しておけば、見回りを行う守衛者がイメージセンサカメラ１２により不審者であると誤判定することがなくなり、システムとしての信頼性を高くすることが可能になる。
【００３４】
上記した内容は照明装置１０ｃの照明可能領域内に不審者が侵入した場合であったが、これ以外の照明装置１０ａ、ｂ、ｄ〜ｇの照明可能領域内に不審者が侵入した場合についても上記と全く同様である。
【００３５】
このような第１の実施の形態による場合、照明装置１０ａ〜１０ｇが設置された複数箇所に不審者が侵入したことを監視することができるにもかかわらず、事務局において複数台の映像モニタを設置することが不要になる。しかもこれらの画像を常時記録するための設備も不要になる。即ち、システムとして小規模になり、低コスト化を図ることが可能になる。特に、照明装置１０のイメージセンサカメラ１２や携帯用通信機器２０として市販のものを利用したことから、大幅な低コスト化を実現することが可能になった。
【００３６】
次に第２の実施の形態を図４を参照して説明する。図４は第２の実施の形態に係る監視システムの構成図である。
【００３７】
第１の実施の形態と大きく異なるのは、図４に示すように照明装置１０ａ’〜１０ｇ’とは別の箇所に設置されており且つ照明装置１０ａ’〜１０ｇ’との間で無線通信が可能な中継コントロールユニット４０を備えており、携帯用通信機器２０において、照明装置１０ａ〜１０ｇから無線で送信された撮影データを中継コントロールユニット４０を通じて無線で受信して読み出し可能に記録するようになっており、警報装置３０において、照明装置１０ａ’〜１０ｇ’から無線で送信された移動体の侵入の検知結果を中継コントロールユニット４０を通じて有線で受信するようになっている点である。以下、第１の実施の形態と異なる事項を中心として詳細に説明する。
【００３８】
照明装置１０ａ’〜１０ｇ’は図２に示すものと殆ど同じであるが、イメージセンサカメラ１２ａ’〜１２ｇ’から別に出力された移動体侵入の判定結果の信号を移動体侵入検知信号として固定用通信部１３に導き、同信号を無線で中継コントロールユニット４０に送信するようになっている点が異なる。この場合、固定用通信部１３の空中線電力は、照明装置１０ａ’〜１０ｇ’と中継コントロールユニット４０との距離に応じて設定することが必要になり、イメージセンサカメラ１２ａ〜１２ｇから出力される撮影データも固定用通信部１３により中継コントロールユニット４０に無線で送信されるようになっている。
【００３９】
中継コントロールユニット４０は、照明装置１０ａ’〜１０ｇ’から無線で送信された移動体侵入検知信号や撮影データを受信するロッドアンテナ４３と、ロッドアンテナ４３に接続された無線回路基板４２と、無線回路基板４２を通じて入力された移動体侵入検知信号や撮影データを記録するとともに送信する通信機器４１と、通信機器４１を通じて入力された移動体侵入検知信号を有線で有線ラインＭを介して警報装置３０に送信するリレーユニット４４とを有した構成となっている。
【００４０】
ここでは通信機器４１として市販のＰＤＡを利用する一方、無線回路基板４２として当該ＰＤＡの付属品であるｂｌｕｅｔｏｏｔｈ  （登録商標）用の無線通信モジュールを利用している。このため中継コントロールユニット４０と携帯用通信機器２０との間で行われる通信の空中線電力は、携帯用通信機器２０が中継コントロールユニット４０の近くに位置する状態でのみ通信可能な程度、具体的には見通し距離で約１００ｍ以内等に設定されている。
【００４１】
無線回路基板４２は照明装置１０ａ’〜１０ｇ’から無線で送信された移動体侵入検知信号や撮影データを受信する一方、携帯用通信機器２０との間で無線通信を行うことが可能な構成となっている。
【００４２】
通信機器４１は無線回路基板４２により受信された移動体侵入検知信号をリレーユニット４４に出力する一方、撮影データを内蔵メモリに記録し、当該撮影データを携帯用通信機器２０からのアクセスに応じて読み出して無線回路基板４２に出力する構成となっている。
【００４３】
リレーユニット４４は通信機器４１を通じて入力された移動体侵入検知信号に基づいて動作するリレーを有しており、このリレー接点を移動体侵入検知信号として有線ラインＭを介して警報装置３０に出力する構成となっている。
【００４４】
以上のように構成された第２の実施の形態の監視システムの動作について第１の実施の形態と異なる点を中心として説明する。
【００４５】
例えば、照明装置１０ａ’〜１０ｇ’のうち照明装置１０ｃ’の照明可能領域内に不審者が侵入したとする。この場合、照明装置１０ｃ’から移動体侵入検知信号及び撮影データが送信され中継コントロールユニット４０で受信される。撮影データは中継コントロールユニット４０の通信機器４１の内蔵メモリに記録される一方、移動体侵入検知信号は通信機器４１、リレーユニット４４及び有線ラインＭを順次的に介して警報装置３０に出力される。すると、警報装置３０のブザー３２が鳴るとともにモニタ３１上のランプのうち照明装置１０ｃ’に対応するランプが点灯する。
【００４６】
事務所に待機する管理人は、警報装置３０のブザー３２やモニタ３１を通じて照明装置１０ｃ’の照明可能領域内に不審者が侵入したことが瞬時に容易に判るので、携帯用通信機器２０を携帯して中継コントロールユニット４０の設置場所に急行する。そして、中継コントロールユニット４０の周辺の１００ｍ以内に入ったところで、携帯用通信機器２０を操作すると、中継コントロールユニット４０の通信機器４１の内蔵メモリに記録された撮影データを携帯用通信機器２０にダウンロードすることができ、そのディスレイに不審者の画像が表示される。
【００４７】
上記した内容は照明装置１０ｃ’の照明可能領域内に不審者が侵入した場合であったが、これ以外の照明装置１０ａ’、ｂ’、ｄ’〜ｇ’の照明可能領域内に不審者が侵入した場合についても上記と全く同様である。
【００４８】
このような第２の実施の形態による場合も第１の実施の形態と同様の効果を奏することになる。特に、事務所が照明装置１０ａ’〜１０ｇ’から遠くに離れている場合であっても、中継コントロールユニット４０を事務所と照明装置１０ａ’〜１０ｇ’との間に設置するようにすれば、照明装置１０ａ’〜１０ｇ’の固定用通信部１３’の空中線電力が小さくてよく、この点で低コスト化を図ることが可能になる。
【００４９】
次に第３の実施の形態を図５を参照して説明する。図５は第３の実施の形態に係る監視システムの構成図である。
【００５０】
第１の実施の形態と大きく異なるのは、図５に示すように照明装置１０ａ’’〜１０ｇ’’とは別の箇所に設置されており且つ照明装置１０ａ’’〜１０ｇ’’との間で有線通信が可能な中継コントロールユニット６０と、照明装置１０ａ’’〜１０ｇ’’から有線で送信された不審者検知信号及び撮影データを中継コントロールユニット６０を通じて無線で受信して読み出し可能に記録する通信機器５０とを備え、携帯用通信機器２０を用いず、警報装置３０の代わりに通信機器５０を用いるようにした点である。以下、第１の実施の形態と異なる事項を中心として詳細に説明する。
【００５１】
照明装置１０ａ’’〜１０ｇ’’は、図２に示すものと殆ど同じであるが、イメージセンサカメラ１２ａ’〜１２ｇ’から出力された移動体侵入検知信号及び撮影データを有線（ここではＲＳ４８５）で中継コントロールユニット６０に送信するようになっている点が異なる。
【００５２】
中継コントロールユニット６０は、照明装置１０ａ’’〜１０ｇ’’から有線で送信された移動体侵入検知信号や撮影データを受信する接続ボックス６２と、接続ボックス６２を通じて入力された移動体侵入検知信号や撮影データを記録して表示するメモリユニット６１と、メモリユニット６１を通じて入力された移動体侵入検知信号や撮影データを無線で送信する送受信ユニット６３とを有した構成となっている。
【００５３】
ここではメモリユニット６１として市販のＰＤＡを利用し、送受信ユニット６３として当該ＰＤＡに接続可能な市販の携帯型移動電話を利用している。
【００５４】
接続ボックス６２は照明装置１０ａ’’〜１０ｇ’’から有線で送信された移動体侵入検知信号及び撮影データを受信するとともにメモリユニット６１に出力する構成となっている。
【００５５】
メモリユニット６１は接続ボックス６２を通じて移動体侵入検知信号及び撮影データが入力されると、これを内蔵メモリに記録するとともにダイアルアップ信号を送受信ユニット６３に出力し、その後、送受信ユニット６３から読み出し信号が入力されると、内蔵メモリに記録された移動体侵入検知信号及び撮影データを読み出して送受信ユニット６３に出力する構成となっている。
【００５６】
送受信ユニット６３はメモリユニット６１からダイアルアップ信号が入力されると、通信機器５０の後述する送受信ユニット５１にダイアルアップさせ、送受信ユニット５１と回線接続されると、読み出し信号をメモリユニット６１に出力し、その後、メモリユニット６１から移動体侵入検知信号及び撮影データから入力されると、送受信ユニット５１に転送する構成となっている。
【００５７】
通信機器５０は事務所に配置されているもので、メモリ表示ユニット５２及び送受信ユニット５１から構成されている。中継コントロールユニット６０に対応させてメモリ表示ユニット５２として市販のＰＤＡを利用し、送受信ユニット５１として当該ＰＤＡに接続可能な市販の携帯型移動電話を利用している。
【００５８】
送受信ユニット５１は中継コントロールユニット６０からダイアルアップされた後に無線で送信された移動体侵入検知信号及び撮影データを受信し、これをメモリ表示ユニット５２に転送する構成となっている。
【００５９】
メモリ表示ユニット５２は送受信ユニット５１から転送された移動体侵入検知信号及び撮影データを記録する一方、移動体侵入検知信号に基づいて照明装置１０ａ’’〜１０ｇ’’のうちいずれの照明可能領域内に不審者が侵入したかをそのディスプレイに表示して警告する一方、撮影データに基づいて不審者の様子をそのディスプレイに画像表示させる構成となっている。
【００６０】
以上のように構成された第３の実施の形態の監視システムの動作について第１の実施の形態と異なる点を中心として説明する。
【００６１】
例えば、照明装置１０ａ’’〜１０ｇ’’のうち照明装置１０ｃ’’の照明可能領域内に不審者が侵入したとする。この場合、照明装置１０ｃ’’から移動体侵入検知信号及び撮影データが中継コントロールユニット６０に有線で送信され、その後、中継コントロールユニット６０に通信機器５０に無線で送信される。すると、通信機器５０のメモリ表示ユニット５２のティスプレイを通じて照明装置１０ｃ’’の照明可能領域内に不審者が侵入したことが瞬時に容易に判るだけでなく、そのディスレイに不審者の画像が表示される。
【００６２】
上記した内容は照明装置１０ｃ’’の照明可能領域内に不審者が侵入した場合であったが、これ以外の照明装置１０ａ’’、ｂ’’、ｄ’’〜ｇ’’の照明可能領域内に不審者が侵入した場合についても上記と全く同様である。
【００６３】
このような第３の実施の形態による場合も第１、第２の実施の形態と同様の効果を奏することになる。しかも第１、第２の実施の携帯とは異なり、管理人が中継コントロールユニット６０や照明装置１０ａ’’〜１０ｇ’’まで出掛ける必要がないので、非常に便利であり即座に必要な措置をとることができ、この点でシステムの高性能化を図ることが可能になる。
【００６４】
なお、本発明に係る照明装置は上記実施の形態に限定されず、例えば、固定用通信部を省略し、夜間照明を行う状態で監視カメラが移動体の侵入を検知すると、監視カメラの撮影データを記録する一方、夜間照明の照度を高く設定する機能を有した構成のものを用いても良い。この場合であっても、夜間に不審者の侵入が検知されると、夜間照明の照度が高くなり、これにより当該不審者に対する威嚇になるとともに当該不審者の詳細が監視カメラにより撮影され、撮影データが監視カメラ又は別のメモリに記録されることになる。また、監視カメラについては、照明器具による照明可能領域内を撮影する機能のみを有するものを用い、照明可能領域内への移動体の侵入を別のセンサで検知するような形態をとってもかまわない。
【００６５】
また、本発明に係る監視システムは上記実施の形態に限定されず、例えば、監視カメラについては、照明器具による照明可能領域内を撮影する機能のみを有するものを用い、照明可能領域内への移動体の侵入を別のセンサで検知するような形態をとってもかまわない。携帯用通信機器、警報装置及び通信機器等については、同様の機能を有するものであればどのような構成のものを用いてもかまわない。
【００６６】
【発明の効果】
以上、本発明の請求項１に係る照明装置による場合、照明器具と、照明可能領域内への移動体の侵入を検知すると当該移動体を撮影する監視カメラと、監視カメラに記録された撮影データを携帯用通信機器に向けて送信する固定用通信部とを備えた構成となっている。このため、複数の場所を監視することが可能であるにもかかわらず、ホスト局において複数台の映像モニタを設置したり、これらの画像を常時記録するための設備が不要になり、システムとして小型化され、低コスト化を図ることが可能になる。
【００６７】
本発明の請求項２に係る照明装置による場合、請求項１の構成に加えて、夜間照明を行う状態で監視カメラが移動体の侵入を検知すると、監視カメラの撮影データを記録する一方、夜間照明の照度を高く設定する機能を有した構成となっている。このため、監視カメラが夜間に移動体の侵入を検知すると、夜間照明の照度が高くなることから、不審者に対する威嚇になるとともに当該不審者の詳細が撮影されることになり、この点で高性能化を図ることができる。
【００６８】
本発明の請求項３に係る照明装置による場合、照明器具と、照明可能領域内への移動体の侵入を検知すると当該移動体を撮影する監視カメラとを具備し、夜間照明を行う状態で監視カメラが移動体の侵入を検知すると、監視カメラの撮影画像を記録する一方、夜間照明の照度を高く設定する機能を有した構成となっている。このため、請求項１及び２と同様の効果を奏する。
【００６９】
本発明の請求項４に係る監視システムによる場合、請求項１又は２の照明装置と、照明装置から送信された撮影データを受信して読み出し可能に記録する携帯用通信機器とを具備する。このため、請求項１又は２と同様の効果を奏する。
【００７０】
本発明の請求項５に係る監視システムによる場合、照明装置と携帯用通信機器との間で行われる通信の空中線電力は、前記携帯用通信機器が前記照明装置の近くに位置する状態でのみ通信可能な程度に設定されている。このため、照明装置側の空中線電力が小さくてよく、これに伴って一層の低コスト化を図ることができる。
【００７１】
本発明の請求項６に係る監視システムによる場合、照明装置とは別の箇所に設置されており且つ照明装置から有線で送信された移動体の侵入の検知結果を受信するとともに当該受信結果に基づいて当該照明装置を特定して警報出力する警報装置を備えている。このため、警報装置を通じて不審者が侵入したこと及びその場所が即座に判り、この点で高性能化を図ることができる。
【００７２】
本発明の請求項７に係る監視システムによる場合、上記照明装置と、照明装置とは別の箇所に設置されており且つ照明装置との間で無線通信が可能な中継コントロールユニットと、照明装置から無線で送信された撮影データを中継コントロールユニットを通じて無線で受信して読み出し可能に記録する携帯用通信機器とを有した構成となっている。このため、請求項４と同様の効果を奏する。
【００７３】
本発明の請求項８に係る監視システムによる場合、中継コントロールユニットと携帯用通信機器との間で行われる通信の空中線電力は、前記携帯用通信機器が中継コントロールユニットの近くに位置する状態でのみ通信可能な程度に設定されている。このため、請求項５と同様の効果を奏する。
【００７４】
本発明の請求項９に係る監視システムによる場合、照明装置及び中継コントロールユニットとは別の箇所に配置されており且つ照明装置から無線で送信された移動体の侵入の検知結果を中継コントロールユニットを通じて有線で受信するとともに当該受信結果に基づいて当該照明装置を特定して警報出力する警報装置を有した構成となっている。このため、請求項６と同様の効果を奏する。
【００７５】
本発明の請求項１０に係る監視システムによる場合、照明器具と、照明可能領域内への移動体の侵入を検知すると当該移動体を撮影する監視カメラと、監視カメラに記録された撮影データを送信する固定用通信部とを有した照明装置と、照明装置とは別の箇所に設置されており且つ照明装置との間で有線通信が可能な中継コントロールユニットと、照明装置から有線で送信された移動体の侵入の検知結果及び撮影データを中継コントロールユニットを通じて無線で受信して読み出し可能に記録する通信機器を備えている。このため、警報装置を通じて不審者が侵入したこと及びそのの場所が即座に判るだけでなく、照明装置や中継コントロールユニットの設置箇所に出向くことが不要になるので便利であり、これらの点で高性能化を図ることができる。
【図面の簡単な説明】
【図１】本発明の第１の実施の形態を説明するための図であって、監視システムの構成図である。
【図２】同システムの照明装置の構成図である。
【図３】同照明装置の外観図である。
【図４】本発明の第２の実施の形態を説明するための図であって、監視システムの構成図である。
【図５】本発明の第３の実施の形態を説明するための図であって、監視システムの構成図である。
【符号の説明】
１０ａ〜１０ｇ  照明装置
１１  照明器具
１２  イメージセンサカメラ
１３  固定用通信部
２０  携帯用通信機器
３０  警報装置
【図１】
2004180169.tif 000003
【図２】
2004180169.tif 000004
【図３】
2004180169.tif 000005
【図４】
2004180169.tif 000006
【図５】
2004180169.tif 000007